(57)【要約】【課題】本発明の目的は、媒体ディスクが移送中に良好なファイリング順序を維持するように相当な程度のファイリング・ロバストを維持すると同時に向上したディスク・ファイリング及び検索柔軟性を有する媒体ディスクをファイルするための手段、機器及び装置を提供することにある。【解決手段】媒体ディスク・ファイリング手段は、ファイリング・レール（２０）と、複数の着脱可能なディスク・ホルダー（３０）とを備え、ファイリング・レールは、レール本体と、一対の横方向に突出しているフランジ（２１、２２）とを備え、各ディスク・ホルダーは、取付け部材と、媒体ディスク・レセプタクルとを備え、取付け部材は、ディスク・ホルダーがファイリング・レールに取付けられるか又はそれから取り外される場合に一対のフランジの横幅を超えるためにクリッピング開口を変形することができるように弾性的に変形可能であるクリッピング開口（３７）を備えている。係るファイリング手段は、媒体ディスクをファイリング・レールの選択した位置に配置することができかつファイリング・レールとディスク・ホルダーとの間のクリッピング嵌合によりファイリング順序を適度に維持することができるので改良された信頼性及び利便性を供給する。【選択図】図１
2007533049.tif 000002
【特許請求の範囲】
【請求項１】
媒体ディスク・ファイリング手段であって、
ファイリング・レールと、複数の着脱可能なディスク・ホルダーとを備え、
前記ファイリング・レールは、レール本体と、一対の横に突出しているフランジとを備え、
各前記ディスク・ホルダーは、取付け部材と、媒体ディスク・レセプタクルとを備え、
前記ディスク・レセプタクルは、前記取付け部材の一方の側に取付けられ、前記ディスク・レセプタクルに取付けられていない前記取付け部材の他方の側は、前記ディスク・ホルダーを前記ファイリング・レールに着脱可能に取付けるためのクリッピング開口を備え、
前記クリッピング開口は、前記ディスク・ホルダーを前記ファイリング・レールに取付けるか又はそれから取外すことができるように前記一対のフランジの横幅を超えるように変形することができるように弾性的に変形可能であることを特徴とする媒体ディスク・ファイリング手段。
【請求項２】
前記クリッピング開口は、入口開口と、ラッチング開口とを備え、
前記ラッチング開口は、前記入口開口とディスク・ポケットとの中間にありかつ該入口開口と連通し、
前記入口開口は、前記ファイリング・レールの横幅よりも狭く、
前記ラッチング開口は、前記入口開口よりも広く、かつ前記ファイリング・レールの横端をブラケットするように構成される、請求項１に記載の媒体ディスク・ファイリング手段。
【請求項３】
前記クリッピング開口は、前記取付け部材から離れるように突出する一対の対向している歯を備え、
前記一対の対向している歯の自由端は、前記入口開口を画定し、かつ前記自由端と前記取付け部材との間の前記歯の一部は、前記ラッチング開口を画定する、請求項１に記載の媒体ディスク・ファイリング手段。
【請求項４】
前記フランジのそれぞれは、円形外縁を有し、かつ前記突出する歯のそれぞれは、その自由端と前記取付け部材との中間にかつ他の対向する歯に対向している弓状インデンテーションを備え、
前記一対の突出する歯の対応している弓状部分は、互いに、弓状の横端を有するラッチング開口を形成する、請求項２に記載の媒体ディスク・ファイリング手段。
【請求項５】
前記取付け部材は、耐久プラスチックで作られ、かつ前記歯は、その上に一体化して成型される、請求項２に記載の媒体ディスク・ファイリング手段。
【請求項６】
前記媒体ディスク・レセプタクルは、その中を通って媒体ディスクが挿入されるか又は取り出される開口を備え、前記開口は、前記ファイリング・レールに対向している、請求項２に記載の媒体ディスク・ファイリング手段。
【請求項７】
前記媒体ディスク・レセプタクルは、実質的に円形プロフィールを有しかつディスク・ポケットの内側に配置されるべき媒体ディスクを受け入れるように大きさが決められたディスク・ポケットを備え、
前記取付け部材は、前記ポケットのマイナーな外周部分に取付けられる取付けクリップを備えている、請求項１に記載の媒体ディスク・ファイリング手段。
【請求項８】
前記ディスク・ポケットに取付けられる前記取付けクリップの側面は、弓状のリム部分を備え、前記弓状のリム部分は、前記ディスクが前記取付け部材に載っているように通常の使用中に前記媒体ディスクが前記ディスク・ポケットの内側に挿入される場合に媒体ディスクの円周部分を支持するように形状が作されかつ大きさが決められる、請求項６に記載の媒体ディスク・ファイリング手段。
【請求項９】
前記ディスク・ポケットは、フレキシブルであり、かつ不透明なバック−シートを有する透明な窓を備え、前記ポケットからの媒体ディスクの取り出しを容易にするように透明な窓に形成されている媒体ディスクへのフィンガー・アクセスを許容するために、径方向に拡張している開口が透明な窓に設けられている、請求項７に記載の媒体ディスク・ファイリング手段。
【請求項１０】
前記ファイリング・レールは、一対のフランジの中間にある凹部分を備え、
前記ファイリング・レールにクリップするように構成されている前記取付け部材の前記側面は、前記ファイリング・レールの前記凹部分の曲率に対応するように形状が作られている凸部分を備えている、請求項２に記載の媒体ディスク・ファイリング手段。
【請求項１１】
前記取付けクリップは、それらの間にクリッピング開口を画定している一対の対向するキャッチを有するクリッピング開口を備え、
前記キャッチは、前記クリッピング開口の横端に配置されかつスナップ−オン方法で横方向に前記ファイリング・レールの前記フランジにクリップするように構成される、請求項１に記載の媒体ディスク・ファイリング手段。
【請求項１２】
前記対向するキャッチのそれぞれは、湾曲したフックを備え、
前記対向するキャッチの前記湾曲したフックは、前記クリッピング開口を形成すべく互いの方向に向って湾曲する、請求項１０に記載の媒体ディスク・ファイリング手段。
【請求項１３】
前記フランジのそれぞれは、円形外縁を有し、
前記キャッチの前記湾曲したフックのそれぞれの曲率は、前記フランジの前記円形外縁の曲率に実質的に従う、請求項１０に記載の媒体ディスク・ファイリング手段。
【請求項１４】
前記媒体ディスク・レセプタクルは、実質的に円形プロフィールを有しかつディスク・ポケットの内側に配置されるべき媒体ディスクを受け入れるように大きさが決められたディスク・ポケットを備え、
前記取付け部材は、弓状のプロフィールを有し、かつ前記クリッピング開口を形成すべく前記主本体から突出している対向するキャッチを有する主本体を備え、
前記主本体は、前記ディスク・ポケットを保持するために前記成型プラスチック部分に挟まれた前記ディスク・ポケットのマイナーな外周部分により背合せで互いに固着される二つの成型プラスチック部分を備えている、請求項１０に記載の媒体ディスク・ファイリング手段。
【請求項１５】
前記対向しているキャッチは、前記成型部分の一つに一体化して成型され、
前記キャッチ間の間隔は、前記ディスク・ホルダーが前記レールに取付けられた場合に前記取付け部材を前記レールに沿って摺動させるように構成される、請求項１３に記載の媒体ディスク・ファイリング手段。
【請求項１６】
前記ディスク・ポケットは、媒体ディスクの該ディスク・ポケットへの挿入及びそれからの取り出しのために構成された開口を備え、
前記開口は、前記取付けクリップの対角線上にある、請求項１３に記載の媒体ディスク・ファイリング手段。
【請求項１７】
前記一対の対向するキャッチは、対向するアプローチング端間の距離が前記ファイリング・レールの幅よりも小さいように配置され、
前記一対の対向するキャッチは、弾性的に変形可能でありかつ前記ファイリング・レールに嵌め合わせること及びそれから切り離すことにより強制的に分けることができる、請求項１０に記載の媒体ディスク・ファイリング手段。
【請求項１８】
前記ディスク・ホルダーは、前記ファイリング・レールの真上のディスク・ホルダーにより前記ファイリング・レールに着脱可能にクリップされ、
前記キャッチは、湾曲したフックを備え、
前記フックの曲率は、前記フランジの曲率に実施的に従いかつ前記一対のフックは、前記フランジの下側にクランプし、それにより前記ディスク・ホルダーは、前記ファイリング・レールに沿って摺動可能であるが、該ファイリング・レールから切り離されることから抑止される、請求項１０に記載の媒体ディスク・ファイリング手段。
【請求項１９】
前記ディスク・ホルダーは、それぞれが透明窓を有しかつ共通の不透明後板を共有している一対の背中合わせディスク・ポケットを備え、
前記ディスク・ホルダーは、ディスク・ポケットに格納された媒体ディスクに表されている情報を見ることができるようにファイリング・レールの横直交平面に対して第１及び第２の傾斜平面間を旋回することができ、
前記ディスク・ホルダーの旋回の程度は、湾曲されたフック及びフランジにより協力して画定される、請求項７に記載の媒体ディスク・ファイリング手段。
【請求項２０】
請求項１から請求項１９のいずれかの媒体ディスク・ファイリング手段を備え、前記格納手段は、前記媒体ディスク・ファイリング手段を取り囲んでいる再密封できるエンクロージャを備えていることを特徴とする、媒体ディスク格納手段。
【請求項２１】
前記再密封できるエンクロージャは、フレキシブルでありかつ長手方向に伸長しているジッパーを有する一般的に円筒形本体を備えている、請求項１９に記載の媒体ディスク格納手段。
【請求項２２】
長手方向に伸長するフレキシブルなハンドルを更に備えている、請求項２０に記載の媒体ディスク格納手段。
【請求項２３】
ファイリング・レールに取付けるように構成された媒体ディスク・ホルダーであって、
ディスク・ポケットと、アタッチメントとを備え、
アタッチメント・クリップは、キャッチ間にクリッピング開口を画定している一対の対向するキャッチを備え、
前記キャッチは、前記クリッピング開口の横端に配置されかつ前記ファイリング・レールにスナップ式にクリップするように構成され、
前記一対の対向するキャッチは、前記ディスク・ホルダーが前記ファイリング・レールに沿って摺動できるように構成され、
前記アタッチメント部材の一方の側は、前記ディスク・ポケットに取付けられかつ前記クリッピング開口は、他方の側に形成され、
前記クリッピング開口は、その長手方向クリッピング位置をユーザによって変えることができるようにディスク・ホルダーがファイリング・レールに沿って摺動できるように構成され、
前記ディスク・ホルダーは、通常の使用中に媒体ディスクが前記ファイリング・レールの上に保持されるように構成されている、ことを特徴とする、媒体ディスク・ホルダー。
【請求項２４】
前記対向するキャッチのそれぞれは、湾曲したフックを備え、
前記対向するキャッチの前記湾曲したフックは、互いの方向に向って湾曲しかつそれらの間の前記ファイリング・レールをキャッチするように構成されている、請求項２２に記載の媒体ディスク・ホルダー。
【請求項２５】
前記アタッチメント部材は、主本体と、前記クリッピング開口を形成すべく該主本体から突出した対向するキャッチとを備え、
前記主本体は、弓状であり、かつディスク・ポケットを保持するように成型部分間に挟まれた前記ディスク・ポケットのマイナー円周部分で一緒に固着される二つの成型部分を備えている、請求項２２に記載の媒体ディスク・ホルダー。
【発明の詳細な説明】
【技術分野】
【０００１】
本発明は、媒体ディスクのためのフィリング手段に関し、特に、例えばＣＤｓのような、光学的に読取り可能な媒体ディスクをファイルするための手段、機器、及び装置に関する。また、本発明は、係るファイリング手段を組み込んでいる媒体ディスク格納手段にも関する。
【背景技術】
【０００２】
媒体ディスク、特に、ＣＤｓ、ＣＤ ＲＯＭｓ ＣＤ Ｒ/Ｗ、ＭＤｓ、ＤＶＤｓ、ＶＣＤｓのような光学的に読取り可能な媒体ディスクは、情報記憶に対する情報技術及びマルチ−メディア・アプリケーションで広く用いられている。光学的に読取り可能な媒体ディスク（“光学ディスク”と略称）は、高データ密度、信頼性、堅牢性（ロバスト性）並びに小型でかつ薄い（スリム）ので有利である。光学ディスクの汎用性により、光学ディスクは、多くのアプリケーションで用いられ、かつ、多数の情報伝達光学ディスクを比較的小さな格納空間に格納することができかつ比較的容易に運ぶことができるようなより効率的かつ有用なファイリング手段を供給する現実的な必要性が存在する。
【発明の開示】
【発明が解決しようとする課題】
【０００３】
宝石箱又は他の箱は、媒体ディスクを格納するために広く用いられている。しかしながら、宝石箱の厚さが媒体ディスク自体の厚みの何倍もあるので、それらは空間効率的ではない。更に、宝石箱は、ＣＤラックのような棚ユニットに通常格納されかつ係る棚形式のファイリング及び格納システムは、かさばる。エンベロープ型、スリーブ型及び他のフレキシブル・ポケット型格納手段のようなより空間効率的な媒体ディスク格納手段は、光学ディスク格納及びファイリングとして増加的に用いられている。典型的には、情報伝達媒体ディスクは、ポケット型格納手段の内側に置かれる。そのようなポケット型媒体ディスクの多くは、ディスク・ドローア（引き出し）の内側におおざっぱに置かれるか又はリング−クリップ型システムによって結合されている。多数の情報伝達光学ディスクを含んでいるドローアが持ち歩くか又はある距離移送される場合、光学ディスクは、リファイリング又は再編成が必要であるようにランダムに混ぜられかつ位置をずらされやすい。媒体ディスクの再編成は、消耗的かつ時間がかかる運動（エクササイズ）でありうるドローアからの全てのディスクの移動を意味する。他方、ポケット型ディスクがリング−クリップ・システムを用いてファイルされる場合、光学ディスクは、逐次的にアクセスされなければならないしかつディスクの再配列は、リング・クリップの開放、ディスクの移動、そして別の選択された場所にディスクを置き換えることの繰返しステップを通常含む。従って、更に使い易くかつ効率的なファイリング手段が提供することができるならばそれが望ましい。
【０００４】
従って、本発明の目的は、通常の媒体ディスク・ファイリング手段の上述した問題点を解消すると同時に媒体ディスクをより便利にファイルしかつ検索するための手段、機器及び装置を提供することにある。特には、本発明の目的は、それに限定されないが、媒体ディスクが移送中に良好なファイリング順序を維持するように相当な程度のファイリング堅牢性（ロバスト性）を維持すると同時に向上したディスク・ファイリング及び検索柔軟性を有する媒体ディスクをファイルするための手段、機器及び装置を提供することにある。少なくとも、本発明の目的は、媒体ディスク・ファイリング及び格納手段、機器及び装置の有用な選択を大衆に提供することにある。
【課題を解決するための手段】
【０００５】
本発明の好適な実施形態によれば、ファイリング・レールと、複数の着脱可能なディスク・ホルダーとを備え、前記ファイリング・レールは、レール本体と、一対の横に突出しているフランジとを備え、各前記ディスク・ホルダーは、取付け部材と、媒体ディスク・レセプタクルとを備え、前記ディスク・レセプタクルは、前記取付け部材の一方の側に取付けられ、前記ディスク・レセプタクルに取付けられていない前記取付け部材の他方の側は、前記ディスク・ホルダーを前記ファイリング・レールに着脱可能に取付けるためのクリッピング開口を備え、前記クリッピング開口は、前記ディスク・ホルダーを前記ファイリング・レールに取付けるか又はそれから取外すことができるように前記一対のフランジの横幅を超えるように変形することができるように弾性的に変形可能である媒体ディスク・ファイリング手段を提供する。媒体ディスクをファイリング・レールの選択した位置に載置できかつファイリング順序をファイリング・レールとディスク・ホルダーとの間のクリッピング嵌合により適度に維持することができるので、係るファイリング手段は、改良された信頼性及び利便性を提供する。
【発明を実施するための最良の形態】
【０００６】
好適な実施形態では、前記クリッピング開口は、入口開口と、ラッチング開口とを備え、前記ラッチング開口は、前記入口開口とディスク・ポケットとの中間にありかつ該入口開口と連通し、前記入口開口は、前記ファイリング・レールの横幅よりも狭く、前記ラッチング開口は、前記入口開口よりも広く、かつ前記ファイリング・レールの横端をブラケットするように構成される。
【０００７】
より特定的には、前記クリッピング開口は、前記取付け部材から離れるように突出する一対の対向している歯を備え、前記一対の対向している歯の自由端は、前記入口開口を画定し、かつ前記自由端と前記取付け部材との間の前記歯の一部は、前記ラッチング開口を画定する。互いの方向に向って凹んでいる曲率を有する一対の突出する歯は、ファイリング・レールにディスク・ホルダーを維持するための効率的なクリッピング開口を形成しかつ高速スナップ・クリッピングに適している。
【０００８】
好適には、前記フランジのそれぞれは、円形外縁を有し、かつ前記突出する歯のそれぞれは、その自由端と前記取付け部材との中間にかつ他の対向する歯に対向している弓状インデンテーションを備え、前記一対の突出する歯の対応している弓状部分は、互いに、弓状の横端を有するラッチング開口を形成する。前記取付け部材は、便利な例としてその上に一体化して成型される前記歯を有する耐久プラスチックで作られる。耐久プラスチックの弾性的変形性は、容易なクリッピング及び取り外しを確実にする。
【０００９】
ディスク・レセプタクルからのディスクの容易な取り外しを容易にするために、前記媒体ディスク・レセプタクルは、その中を通って媒体ディスクが挿入されるか又は取り出される開口を備え、前記開口は、媒体ディスクをレールの上から挿入したり又は取り外すことができるように前記ファイリング・レールに対向している。
【００１０】
好適な例では、前記媒体ディスク・レセプタクルは、実質的に円形プロフィールを有しかつディスク・ポケットの内側に配置されるべき媒体ディスクを受け入れるように大きさが決められたディスク・ポケットを備え、前記取付け部材は、前記ポケットの小さい方の（マイナーな）外周部分に取付けられる。
【００１１】
好適には、前記ディスク・ポケットに取付けられる前記取付けクリップの側面は、弓状のリム部分を備え、前記弓状のリム部分は、前記ディスクが前記取付け部材に載っているように通常の使用中に前記媒体ディスクが前記ディスク・ポケットの内側に挿入される場合に媒体ディスクの円周部分を支持するように形状が作されかつ大きさが決められる。
【００１２】
好適には、前記ディスク・ポケットは、フレキシブルであり、かつ不透明なバック−シートを有する透明な窓を備え、前記ポケットからの媒体ディスクの取り出しを容易にするように透明な窓に形成されている媒体ディスクへのフィンガー・アクセスを許容するために、径方向に拡張している開口が透明な窓に設けられている。
【００１３】
一例では、前記ファイリング・レールは、一対のフランジの中間にある凹部分を備え、前記ファイリング・レールにクリップするように構成されている前記取付け部材の前記側面は、前記ファイリング・レールの前記凹部分の曲率に対応するように形状が作られている凸部分を備えている。
【００１４】
一観点では、前記取付け部材は、それらの間にクリッピング開口を画定している一対の対向するキャッチを有するクリッピング開口を備えている前記取付けクリップを備え、前記キャッチは、前記クリッピング開口の横端に配置されかつスナップ−オン方法で横方向に前記ファイリング・レールの前記フランジにクリップするように構成される。例えば、前記対向するキャッチのそれぞれは、湾曲したフックを備え、前記対向するキャッチの前記湾曲したフックは、前記クリッピング開口を形成すべく互いの方向に向って湾曲する。
【００１５】
容易なクリッピングのために、前記フランジのそれぞれは、円形外縁を有し、前記キャッチの前記湾曲したフックのそれぞれの曲率は、前記フランジの前記円形外縁の曲率に実質的に従う。
【００１６】
一例では、前記媒体ディスク・レセプタクルは、実質的に円形プロフィールを有しかつディスク・ポケットの内側に配置されるべき媒体ディスクを受け入れるように大きさが決められたディスク・ポケットを備え、前記取付け部材は、弓状のプロフィールを有し、かつ前記クリッピング開口を形成すべく前記主本体から突出している対向するキャッチを有する主本体を備え、前記主本体は、前記ディスク・ポケットを保持するために前記成型プラスチック部分に挟まれた前記ディスク・ポケットのマイナーな外周部分により背合せで互いに固着される二つの成型プラスチック部分を備えている。
【００１７】
好都合には、前記対向しているキャッチは、前記成型部分の一つに一体化して成型され、前記キャッチ間の間隔は、前記ディスク・ホルダーが前記レールに取付けられた場合に前記取付け部材を前記レールに沿って摺動させるように構成される。同様に、前記ディスク・ポケットは、媒体ディスクの該ディスク・ポケットへの挿入及びそれからの取り出しのために構成された開口を備え、前記開口は、前記取付けクリップの対角線上にある。
【００１８】
好適には、前記一対の対向するキャッチは、対向するアプローチング端間の距離が前記ファイリング・レールの幅よりも小さいように配置され、前記一対の対向するキャッチは、弾性的に変形可能でありかつ前記ファイリング・レールに嵌め合わせること及びそれから切り離すことにより強制的に分けることができる。
【００１９】
例示的アプリケーションでは、前記ディスク・ホルダーは、前記ファイリング・レールの真上のディスク・ホルダーにより前記ファイリング・レールに着脱可能にクリップされ、前記キャッチは、湾曲したフックを備え、前記フックの曲率は、前記フランジの曲率に実施的に従いかつ前記一対のフックは、前記フランジの下側にクランプし、それにより前記ディスク・ホルダーは、前記ファイリング・レールに沿って摺動可能であるが、該ファイリング・レールから切り離されることから抑止される。
【００２０】
勿論、前記ディスク・ホルダーは、それぞれが透明窓を有しかつ共通の不透明後板を共有している一対の背中合わせディスク・ポケットを備え、前記ディスク・ホルダーは、ディスク・ポケットに格納された媒体ディスクに表されている情報を見ることができるようにファイリング・レールの横直交平面に対して第１及び第２の傾斜平面間を旋回することができ、前記ディスク・ホルダーの旋回の程度は、湾曲されたフック及びフランジにより協力して画定される。
【００２１】
本発明の別の態様では、格納手段が前記媒体ディスク・ファイリング手段を取り囲んでいる再密封できるエンクロージャを更に備えているこの明細書に記述された媒体ディスク・ファイリング手段を備えている媒体ディスク格納手段が記述されている。前記再密封できるエンクロージャは、フレキシブルでありかつ長手方向に伸長しているジッパーを有する一般的に円筒形本体を備えている。この特徴は、格納手段の強化された携帯性を容易にする。エンクロージャは、長手方向に伸長するフレキシブルなハンドルを更に備えうる。
【００２２】
本発明の更に別の態様では、ファイリング・レールに取付けるように構成され、ディスク・ポケットと、アタッチメントとを備えている媒体ディスク・ホルダーを記述し、アタッチメント・クリップは、キャッチ間にクリッピング開口を画定している一対の対向するキャッチを備え、前記キャッチは、前記クリッピング開口の横端に配置されかつ前記ファイリング・レールにスナップ式にクリップするように構成され、前記一対の対向するキャッチは、前記ディスク・ホルダーが前記ファイリング・レールに沿って摺動できるように構成され、前記アタッチメント部材の一方の側は、前記ディスク・ポケットに取付けられかつ前記クリッピング開口は、他方の側に形成され、前記クリッピング開口は、その長手方向クリッピング位置をユーザによって変えることができるようにディスク・ホルダーがファイリング・レールに沿って摺動できるように構成され、前記ディスク・ホルダーは、通常の使用中に媒体ディスクが前記ファイリング・レールの上に保持されるように構成されている。
【００２３】
同様に、前記対向するキャッチのそれぞれは、湾曲したフックを備え、前記対向するキャッチの前記湾曲したフックは、互いの方向に向って湾曲しかつそれらの間の前記ファイリング・レールをキャッチするように構成されている。また、前記アタッチメント部材は、主本体と、前記クリッピング開口を形成すべく該主本体から突出した対向するキャッチとを備え、前記主本体は、弓状であり、かつディスク・ポケットを保持するように成型部分間に挟まれた前記ディスク・ポケットのマイナー円周部分で一緒に固着される二つの成型部分を備えている。
【実施例】
【００２４】
まず図１から図４Ｅを参照すると、本発明の媒体ディスク・ファイリング手段１０の第１の好適な実施形態が示されている。ディスク・ファイリング手段は、ファイリング・レール２０と、及び（都合上、図のあるものには単一のディスク・ホルダーだけが示されているが）複数のディスク・ホルダー３０とを備えている。ファイリング・レールは、一対の長手方向に伸長しているフランジ２１、２２を有する細長い本体を備えている。フランジ２１、２２のそれぞれは、ファイリング・レールの本体から横に突出しかつ円形外縁を有している。ファイリング・レール２０は、耐久プラスチックで作られかつ一対のフランジ２１及び２２がファイリング・レールの上部外側に一体化成形されている。勿論、ファイリング・レール及びフランジは、例えば、金属プレスによって、金属から作ることができる。停止手段２３は、レールにクリップされたディスク・ホルダーがレール上を停止手段によって画定された境間で摺動できるようにファイリング・レールの長手方向端に配置されている。この例では、ファイリング・レールは、ファイリング・レールに取付けられたディスク・ホルダーがファイリング・レールの長さに沿って摺動できるようにその長さに沿って実質的に均等な断面を有する。勿論、離散ディスク格納位置を画定するためにファイリング・レールに目盛を形成しうる。
【００２５】
ディスク格納コンテナー又はディスク・ファイリング棚のベースにファイリング・レールを固着するための複数のファスナ−受け入れ開口（アパーチャ）２４がファイリング・レールの長さに沿って分配されている。ファスナ−受け入れ開口２４は、レールを支持ベースに取付けるためのファスナがレールにクリップされるディスク・ホルダーの摺動動作の邪魔にならないようにファイリング・レールの長さに沿って成型された凹部２５に形成される。
【００２６】
図４Ａ、４Ｃ、４Ｄ及び４Ｅの断面図から理解できるように、横フランジの中間のレールの部分は、凹面状に曲げられている。凹面状部分の曲率は、取付け部材の対応する部分の曲率に実質的に従う。図に示すように、取付け部材の上側（上部）の曲率は、以下に説明する円形ディスク・ポケットの外側周辺の曲率に実質的に従う。従って、取付け部材の上側は、媒体ディスクに対してよりロバストな支持を供給する。更に、レールは、図２及び図７により特定的に示すように、複数のディスク・ホルダーをファイリング・レールに同時にクリップしかつファイリング・レールによって支持することができるように設計されている。
【００２７】
図１、図３及び図４Ａをより特定的に参照すると、ディスク・ホルダー３０は、ディスク・レセプタクル３１と、取付け部材３２とを備えている。取付け部材は、ディスク・レセプタクルに取付けるための第１の側面３３と、レールに着脱可能に取付けるための第２の側面３４とを備えている。取付けクリップは、ファイリング・レールにクリップするために取付け部材の第２の側面に形成されている。ディスク・レセプタクルは、媒体ディスクを収容するように構成されたフレキシブル・ディスク・ポケットを備えている。図４Ｃでより明瞭に理解できるように、ディスク・ポケットのプレーン（平面）は、通常の使用状態の下でディスク・ポケットがレールにクランプされた取付けクリップによりレールに支持される場合にレールの縦軸に実質的に直交する。
【００２８】
取付け部材は、例えば、プラスチック・リベット締め又はボルト締めによって一緒に接続された第１の成型部分３５及び第２の成型部分３６を備えている。ディスク・ポケットは、取付け部材の第１の側で二つの成型部分の間に挟まれている。取付け部材の第１の側は、保持される光学ディスクの曲率に一般的に従う弓状部分を備えている。弓状部分の径方向の幅は、十分かつ信頼できる固定化に対してディスクと成型部分との間に適切な重ね合せが存在するように構成されている。
【００２９】
図から理解できるように、取付け部材の第１の側の弓状部分は、それがディスク・ポケットの外周の小さい部分と重畳するように方向に沿って円周に拡張している。取付け部材の弓状部分の第１の側の自由端は、上向きにディスク・ポケットの内側に配置された場合にエッジのリムは、そのままの状態に置いてかつ取付け部材によって支持することができるように保持される光学ディスクの外側パラメータの曲率に従う曲率を有する。
【００３０】
図１〜図４Ｅにより明確に理解できるように、取付け部材の第２の側は、レールにクリップするためにクリッピング開口３７を並置する取付けクリップを備えている。クリッピング開口は、クリッピング開口の横端に配置される一対の対向するキャッチ(catches)３８、３９によって画定される。クリッピング開口、従って対向するキャッチは、クリップされたディスク・ホルダーがレールに沿って摺動することができかつレールにそのその位置を変えることができるように取付けクリップがレールにクリップをゆるくクランプするように構成されていると同時にレールへのディスク・ホルダーのスナップ・クリッピングをイネーブルするように構成されている。キャッチのそれぞれは、主本体から離れかつ取付け部材の第１の側から離れるように伸長する湾曲したフックを含む。一対のキャッチの湾曲したフックは、狭い入口開口を有するクリッピング開口を形成すべく互いの方向に曲がっている。取付け部材の自由端と主本体との中間の湾曲したフックの一部は、凹面状に湾曲したインデンテーション（窪み）４０を備えている。一対の凹面状のインデンテーション及び取付け部材の第２の側は、一緒に、円形横端を有する拡大クリッピング開口を形成する。
【００３１】
フックの湾曲した自由端によって形成された狭い入口開口とフックの凹面状部分によって形成された拡大クリッピング開口と及び取付け部材の第２の側の凸状自由端との組合せは、一緒に、クリッピング開口を有する取付けクリップを形成する。係る開口により、レール部材の第１及び第２のフランジは、クリッピング開口の円形端間に閉じ込められる。フックの自由端間の分離は、第１及び第２のフランジの横の広がりよりも小さくなるように設計されているので、フランジは、円形エンド・クリック開口内を通される。開口の幅は、安定した支持を供給するために媒体ディスクのノン−データ・キャンピング部分と同程度である。
【００３２】
別の斜視図では、一対のキャッチは、取付け部材から離れるように突出する一対の対向する歯として可視化することができる。一対の対向する歯の自由端は、入口開口を画定し、かつ自由端と取付け部材との間の歯の部分は、ラッチング開口を画定する。フランジのそれぞれは、円形外側エッジを有しかつ突出している歯のそれぞれは、その自由端と取付け部材との中間に弓状のインデンテーションを備えかつ他の反対側の歯に対向しているので、一対の突出している歯の対応している弓状部分は、一緒に、弓状横端を有するラッチング開口を形成する。
【００３３】
第１及び第２の成型部分を備えている、取付け部材の主本体は、取付け又は取り外し中に第１及び第２のフランジとのやりとりでフックの自由端が若干かつ弾性的に引き離されるような、弾性ひずみエネルギーの程度を有する硬質又は耐久プラスチック、例えば、ＰＶＣ、ＰＰ及びＰＣから成型される。
【００３４】
ディスク・ポケットは、媒体ディスクに対する格納空間を供給するように構成されている。ディスク・ポケットの格納コンパートメントは、バッキング部材とフロント部材とを備えている。バッキング部材４１は、フレキシブルな不透明シートでありかつフロント部材４２は、媒体ディスクの一つの側のラベルを見ることができるようにフレキシブルかつ透明である。バッキング部材及びフロント部材の両方は、ディスク・ポケットが適度に薄くかつフレキシブルであるようにソフト・プラスチックから通常作られている。
【００３５】
この例において、不透明なバッキング部材及び透明なフロント部材の両方は、円形でありかつそれらの外周の一部に沿って閉じられ、格納コンパートメントの上半分に媒体ディスク移動（トランジット）ためのディスク移動開口４３をそのまま残して、格納コンパートメントの上部開口を通して媒体ディスクをディスク格納コンパートメントに挿入したり又は取り外しできる。簡単な移動を容易にするために、ディスク移動開口の幅は、格納コンパートメントに保持されるように同程度でかつ媒体ディスクの直径より多少大きく、かつ径方向に拡張している開口４４は、ディスク・ポケットからの媒体ディスクの取り出し中にフィンガー・アクセスのために１２時の位置と透明な窓の中心との間で透明なフロント部材に形成される。快適な格納コンパートメントを供給するために、バック及びフロント部材は、通常の格納及び使用中にディスクを抑止すべく実質的に半円形に閉じられた境が形成されるようにディスク・ポケットの下方円周部分で閉じられる。
【００３６】
ディスク・ホルダーがレール部材にクリップされかつ通常状態で用いられた場合、ディスク・ホルダーは、図１、図４Ｃ及び図５に示すように、レールに支持されかつ上部にディスク移動開口を有する実質的に縦の構成（直立状態）に維持される。クリッピング開口を画定するフック部材は、取付けクリップがレールに緩くクランプしかつレールに沿って摺動可能であるように構成される。図４Ｅで分かるように、フックの自由端は、レールに沿って取付けクリップの摺動動作を許容するようにフランジから少し離間したフックの円形部分で、フランジの下側に嵌合する。フランジの側面と取付けクリップとの間に維持された小さな空間又は隙間により、ディスク・ホルダーは、クリップされた構成で、媒体ディスクの一つの側の内容（コンテンツ）を図２に示すような高さで読取ることができるように湾曲したフックの形状及び曲率により所定の範囲に対して垂直平面又はレールの縦軸（長手方向軸）に直交する平面から離れるように旋回可能である。
【００３７】
以下に、媒体ディスク・ファイリング手段の動作を更に詳細に説明する。
図３〜図４Ｃを参照すると、ディスク・ホルダーは、レールに取付けられる。ディスク・ホルダーは、上部のディスク移動開口及びレールに向って移動しているクリッピング開口によりレールに向って移動される。レールにアプローチすることにより、図４Ａに示すように、取付け部材は、フック部材の一つが図４Ｄ及び４Ｅに示すように、フランジを捕らえかつ嵌合することができるようにレールの垂直縦平面に関して少し傾けられる。図４Ｂ及び４Ｅに示すように、第１のフック部材がフランジの一つに嵌合した後、他方のフック部材は、完全な嵌合を行うように他のフランジに押し下げされる。フック部材が少し弾性(elastic resilient)であるように、それは、フランジに向って押し下げられることにより少し変形するが、図４Ｃに示すように、フランジを通り抜けかつフランジの下側に嵌合した後、その変形以前のキャッチング状態に復元する。ディスク・ホルダーがレールから取り外された場合、取付け部材の一つの側は、例えば、図４Ｂ及び４Ｅに示すように、フック部材は、フランジが取り除かれるまで、フランジから離れるようにリフトされる。一度フック部材が取り外されたならば、他のフックは、容易に取り外すことができる。
【００３８】
図５〜図１３は、本発明のディスク・ファイリング手段を備えているディスク格納コンテナー５０の例示的実施形態を示す。図５〜図８から分かるように、ディスク格納コンテナーは、レールに保持されている複数のディスク・ホルダーを備えている媒体ディスク・ファイリング手段を取り囲むエンクロージャ５１を備えている。エンクロージャは、エンクロージャ本体が二つの実質的に等しい半円形プリズム（角柱）エンクロージャに分割できるように半分の断面で縦に分配された、スライディング・ファスナー、例えば、ジッパーを有するフレキシブルな円筒形本体を備えている。ディスク格納コンテナーの全体寸法は、エンクロージャの内側に格納することができかつ良好な格納空間効率を与えるディスクの全体の全体寸法と同程度であるということが理解されるであろう。
【００３９】
図７及び図８から分かるように、媒体ディスクで充たすことができるか又は空でありうる、複数のディスク・ホルダーは、二つの停止板（プレート）間にクランプされ、かつディスク・ホルダーが停止板間で稠密充填されているので実質的に直立状態（垂直構成）に維持される。係る状況の下で、ディスク・ホルダーは、レールの縦軸に実質的に直交する垂直平面に関して旋回するか又は傾くために十分な空間を有していないということが理解されるであろう。ディスク・ホルダーがレールにクリップされるときに、ディスク・コンテナーは、レールに対して同じ順番で互いに保持されたディスク・ホルダーで持ち歩くか又は移送することができる。
【００４０】
ディスク・ホルダー又はディスクがファイリング手段から取り出されるならば、それは、上述した方法でクリップされた部材をレールから外すことによって選択的に取り出すことができる。ディスク・ホルダーが置き換えられるならば、それは、選択されたか又はランダムに選択された位置に挿入することができ、かつ、ユーザがディスクの順番を再配列することを望むならば、ランダムに選択された位置に隣接するディスク・ホルダーは、挿入に対する空間を許容すべく脇へ押しのけることができる。従って、ディスクは、レールから取り出しかつユーザの意思でランダムに選択された位置でディスク・ファイリング・システムに挿入することができるということが理解されるであろう。
【００４１】
本発明は、上述した例又は好適な実施形態を参照して説明されたが、それらは、本発明の理解を助けるための例であり限定的であることを意味しないということが理解されるであろう。本発明の適用範囲は、上述した好適な実施形態から及び適切な場合又はコンテキストが要求する場合には図を参照して決定及び/又は推測されるべきである。特に、当業者にとって明白又は自明である変形又は変更、並びにそれに対してなされた改良は、本発明の適用範囲及び境界内に入るものであると考えるべきである。
更に、本発明は、フレキシブルなエンクロージャを参照して説明されたが、本発明は、一般性の喪失なしで、硬質プラスチック・ハウジングを含んでいる、他のエンクロージャに、変更の有無に係わらず、適用することができるということが理解されるべきである。
【図面の簡単な説明】
【００４２】
【図１】本発明の媒体ディスク・ファイリング手段の好適な実施形態の上面斜視図である。
【図２】ファイリング・レールにクリップされている複数の着脱可能なディスク・ホルダーを有する図１の好適な実施形態のディスク・ファイリング手段のファイリング・レールの側部から見た側面図である。
【図３】取り外されたディスク・ホルダー及びファイリング・レールを有する図１のディスクの実施形態の上面斜視図である。
【図４Ａ】ファイリング・レールの一つの長手方向端から取った図１の実施形態の側面図である。
【図４Ｂ】ファイリング・レールのフランジに部分的にクリップされた取付けクリップ、及びクランピング嵌合のためにファイリグ・レールの他の長手方向フランジの方向に移動している取付け部材の他の側を伴う図４Ａの側面図を示す。
【図４Ｃ】通常の使用状態中に取付けクリップがファイリング・レールにクリップされた場合のレールの断面及びのディスク・ホルダー側面を示す側面図である。
【図４Ｄ】嵌合クリッピングのためのファイリング・レールの他の長手方向側面に達する本発明の例示的ディスク・ホルダーを示す図である。
【図４Ｅ】完全にクリップされたモードへの遷移の中に部分的にクリップされたモードの図４Ｄのディスク・ホルダーを示す図である。
【図５】本発明のディスク・ファイリング手段の例示的実施形態を組み込んでいる媒体ディスク格納コンテナーの好適な実施形態の横断面図を示す。
【図６】開かれかつディスク・ホルダーを見せているエンクロージャを有する図５のディスク格納コンテナーの側面図である。
【図７】レールにクリップされている複数のディスク・ホルダーを示している開かれたディスク格納コンテナーの平面図である。
【図８】図６のディスク格納コンテナー及び複数のディスク・ホルダーを示している斜視図である。
【図９】図６のディスク格納コンテナーの横断面図である。
【図１０】完全に閉じられたか又はジッパーで閉められた構成における図６の格納コンテナーを示す。
【図１１】図１０の格納コンテナーの平側面図である。
【図１２】図１１の格納コンテナーの底面図である。
【図１３】図１１のディスク格納コンテナーの斜視図である。
【符号の説明】
【００４３】
１０  媒体ディスク・ファイリング手段
２０  ファイリング・レール
３０  ディスク・ホルダー
４３  ディスク移動開口
【図１】
2007533049.tif 000003
【図２】
2007533049.tif 000004
【図３】
2007533049.tif 000005
【図４Ａ】
2007533049.tif 000006
【図４Ｂ】
2007533049.tif 000007
【図４Ｃ】
2007533049.tif 000008
【図５】
2007533049.tif 000009
【図６】
2007533049.tif 000010
【図７】
2007533049.tif 000011
【図８】
2007533049.tif 000012
【図９】
2007533049.tif 000013
【図１０】
2007533049.tif 000014
【図１１】
2007533049.tif 000015
【図１２】
2007533049.tif 000016
【図１３】
2007533049.tif 000017
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
ファイリング・レールと複数の着脱可能ディスク・ホルダーとを備えている媒体ディスク・ファイリング手段であって、
前記ファイリング・レールは、レール本体と、一対の横方向に突出しているフランジとを備え、
各ディスク・ホルダーは、取付け部材と、フレキシブル・ディスク・ポケットとを備え、
前記ディスク・ポケットは、前記取付け部材の一方の側に取付けられ、前記ディスク・ポケットに取付けられていない前記取付け部材の他方の側は、前記ファイリング・レールに前記ディスク・ホルダーを着脱可能に取付けるためのクリッピング開口を有しているクリップを備え、
前記クリップは、前記ディスク・ホルダーを前記ファイリング・レールに取付けること又は前記ファイリング・レールから取外すことにより前記一対のフランジの横端を超えてそれが変形できるように弾性的に変形可能であり、
前記クリップは、使用中に、フレキシブル・ディスク・ポケットが、前記レールの上で支持された前記ディスク・ホルダーで実質的に直立して保持されるように前記レールと協働するように構成されおり、
前記取付け部材は、前記フレキシブル・ディスク・ポケットと連通する弓状の部分を備え、それにより通常の使用中に媒体ディスクのマイナー円周部分が位置する前記ディスク・ポケットの底部に弓状のシートが供給されることを特徴とする媒体ディスク・ファイリング手段。
【請求項２】
前記媒体ディスク・ポケットは、それを通して媒体ディスプレイを挿入又は取り出すことができる、前記弓状のシートに対向する開口を備えていることを特徴とする請求項１に記載の媒体ディスク・ファイリング手段。
【請求項３】
前記フレキシブル・ディスク・ポケットは、実質的に円形なプロフィールを有し、かつ媒体ディスクを受け入れるように大きさが決められ、
前記取付け部材は、前記ディスク・ポケットのマイナー外周部分に取付けられることを特徴とする請求項１又は２に記載の媒体ディスク・ファイリング手段。
【請求項４】
前記取付け部材は、前記クリッピング開口を画定している一対の対向している歯を備え、前記歯は、前記ファイリング・レールに載置されている前記取付け部材の通常の使用中に前記取付け部材が前記ファイリング・レールにクリップされる場合に前記取付け部材を実質的に直立に保持するために該歯が前記ファイリング・レールの前記フランジと協働するように構成されていることを特徴とする請求項１から３のいずれかに記載の媒体ディスク・ファイリング手段。
【請求項５】
前記対向している歯は、前記取付け部材の弓状のリム部分によって相互接続され、
前記ファイリング・レールは、前記取付け部材の前記弓状のリム部分を受け入れるための相応する弓状部分を更に具備することを特徴とする請求項４に記載の媒体ディスク・ファイリング手段。
【請求項６】
前記取付け部材は、耐久プラスチックで作られかつ前記歯は、前記取付け部材に一体化成型されることを特徴とする請求項４又は５に記載の媒体ディスク・ファイリング手段。
【請求項７】
前記取付け部材は、成型部分の間に挟まれた前記フレキシブル・ディスク・パケットのマイナー円周部分で一緒に固着された二つの成型された部分によって形成されることを特徴とする請求項１から６のいずれかに記載の媒体ディスク・ファイリング手段。
【請求項８】
前記歯及び前記取付け部材は、実質的に同一平面上にあることを特徴とする請求項７に記載の媒体ディスク・ファイリング手段。
【請求項９】
前記取付け部材の前記弓状のリム部分は、凸形状であり、かつ前記ファイリング・レールの前記弓状の部分は、凹形状であることを特徴とする請求項７又は８のいずれかに記載の媒体ディスク・ファイリング手段。
【請求項１０】
前記ファイリング・レールの前記フランジのそれぞれは、突出しているエッジを有し、かつ前記突出しているハードウェアのそれぞれは、湾曲されたフックを形成すべくその自由端と前記取付け部材との中間に弓状のインデンテーションを備え、前記歯及び前記突出しているエッジは、キャッチ・カム支持を形成すべく協働し、それにより通常の使用中に前記ファイリング・レールに実質的に直立に前記ディスク・ホルダーが保持されることを特徴とする請求項７から９のいずれかに記載の媒体ディスク・ファイリング手段。
【請求項１１】
前記フレキスブル・ディスク・ポケットは、不透明なバック−シートを有する透明窓と、及び前記媒体ディスクの挿入又は取出しのために媒体ディスクへのフィンガー・アクセスを許容すべく前記透明窓に径方向に伸長している開口とを備えていることを特徴とする請求項１から１０のいずれかに記載の媒体ディスク・ファイリング手段。
【請求項１２】
エンクロージャと、当該エンクロージャによって包含される請求項１から１１のいずれかによる媒体ディスク・ファイリング手段とを備えている携帯型ディスク・コンテナー。
【手続補正２】
【補正対象書類名】明細書
【補正対象項目名】００３７
【補正方法】変更
【補正の内容】
【００３７】
以下に、媒体ディスク・ファイリング手段の動作を更に詳細に説明する。
図３〜図４Ｃを参照すると、ディスク・ホルダーは、レールに取付けられる。ディスク・ホルダーは、上部のディスク移動開口及びレールに向って移動しているクリッピング開口によりレールに向って移動される。レールにアプローチすることにより、図４Ａに示すように、取付け部材は、フック部材の一つが図４Ｃに示すように、フランジをキャッチしかつ嵌合することができるようにレールの垂直縦平面に関して少し傾けられる。図４Ｂに示すように、第１のフック部材がフランジの一つに嵌合した後、他方のフック部材は、完全な嵌合を行うように他のフランジに押し下げされる。フック部材が少し弾性であるように、それは、フランジに向って押し下げられることにより少し変形するが、図４Ｃに示すように、フランジを通り抜けかつフランジの下側に嵌合した後、その変形以前のキャッチング状態に復帰する。ディスク・ホルダーがレールから取り外される場合、取付け部材の一方の側は、フランジが取り除かれるまでフック部材はフランジから離れるように持ち上げられる。一度フック部材が取り外されたならば、他のフックは、容易に取り外すことができる。
【手続補正３】
【補正対象書類名】明細書
【補正対象項目名】００４２
【補正方法】変更
【補正の内容】
【００４２】
【図１】本発明の媒体ディスク・ファイリング手段の好適な実施形態の上面斜視図である。
【図２】ファイリング・レールにクリップされている複数の着脱可能なディスク・ホルダーを有する図１の好適な実施形態のディスク・ファイリング手段のファイリング・レールの側部から見た側面図である。
【図３】取り外されたディスク・ホルダー及びファイリング・レールを有する図１のディスクの実施形態の上面斜視図である。
【図４Ａ】ファイリング・レールの一つの長手方向端から取った図１の実施形態の側面図である。
【図４Ｂ】ファイリング・レールのフランジに部分的にクリップされた取付けクリップ、及びクランピング嵌合のためにファイリグ・レールの他の長手方向フランジの方向に移動している取付け部材の他の側を伴う図４Ａの側面図を示す。
【図４Ｃ】通常の使用状態中に取付けクリップがファイリング・レールにクリップされた場合のレールの断面及びのディスク・ホルダー側面を示す側面図である。
【図５】本発明のディスク・ファイリング手段の例示的実施形態を組み込んでいる媒体ディスク格納コンテナーの好適な実施形態の横断面図を示す。
【図６】開かれかつディスク・ホルダーを見せているエンクロージャを有する図５のディスク格納コンテナーの側面図である。
【図７】レールにクリップされている複数のディスク・ホルダーを示している開かれたディスク格納コンテナーの平面図である。
【図８】図６のディスク格納コンテナー及び複数のディスク・ホルダーを示している斜視図である。
【図９】図６のディスク格納コンテナーの横断面図である。
【図１０】完全に閉じられたか又はジッパーで閉められた構成における図６の格納コンテナーを示す。
【図１１】図１０の格納コンテナーの平側面図である。
【図１２】図１１の格納コンテナーの底面図である。
【図１３】図１１のディスク格納コンテナーの斜視図である。
【国際調査報告】
2007533049.tif 000018
2007533049.tif 000019
2007533049.tif 000020